(57)【特許請求の範囲】
【請求項１】
連続紙面に対して遠近移動し、連続紙の幅方向に幾つか設けられた接触部が連続紙面に接触して連続紙に波打ちを発生させることが可能であるとともに、移動した位置で互いに連続紙面に平行な回転中心線周りに回転可能、かつその回転中心線を位置決め可能に設けた複数の押付け部材と、
各押付け部材ごとに少なくとも１つ対応させ、その回転中心線を軸心とする軸と互いに角変位可能であるとともに、隣り合う押付け部材と対応するもの同士を、押付け部材の回転中心線と平行な軸線を有する中間軸によって、その中間軸と少なくとも一方が角変位可能に連結したアーム部材よりなる連結アーム機構と、
中間軸と平行な出力軸を備え、連結アーム機構に設けられた駆動源と、
駆動源の出力軸又は出力軸と一体で回転する軸に、この軸と一体で回転可能に設けられた駆動源歯車と、
各押付け部材ごとに対応させ、その押付け部材と一体で回転可能に設けられた従動歯車と、
前記中間軸の軸線周りに回転可能に設けられた歯車を含み、隣接する歯車と噛み合わせられて駆動源歯車の回転を従動歯車に伝動可能であるように連結アーム機構に設けられた少なくとも１つの中間歯車と、
を有し、
前記連結アーム機構は、押付け部材の移動にかかわらず、中間軸に連結された２つのアーム部材の各アーム部材に対応する押付け部材の回転中心線と中間軸の軸線との間の距離の和が、当該アーム部材に対応する２つの押付け部材の回転中心線の間の距離より、常時大きくなるように設けられてなること
を特徴とする連続紙の幅調整装置における押付け部材回転駆動装置。
【請求項２】
連続紙面に対して遠近移動し、連続紙の幅方向に幾つか設けられた接触部が連続紙面に接触して連続紙に波打ちを発生させることが可能であるとともに、移動した位置で互いに連続紙面に平行な回転中心線周りに回転可能、かつその回転中心線を位置決め可能に設けた複数の押付け部材と、
各押付け部材ごとに少なくとも１つ対応させ、その回転中心線を軸心とする軸と互いに角変位可能であるとともに、隣り合う押付け部材と対応するもの同士を、押付け部材の回転中心線と平行な軸線を有する中間軸によって、その中間軸とそれぞれ互いに角変位可能に連結したアーム部材よりなる連結アーム機構と、
中間軸と一体で回転可能な出力軸又は中間軸を兼ねる出力軸を備え、連結アーム機構に設けられた駆動源と、
中間軸又は中間軸を兼ねる駆動源の出力軸に、この軸と一体で回転可能に設けられた駆動源歯車と、
各押付け部材ごとに対応させ、その押付け部材と一体で回転可能に、かつ駆動源歯車と直接噛み合わせられた従動歯車と、
を有し、
前記連結アーム機構は、押付け部材の移動にかかわらず、中間軸に連結された２つのアーム部材の各アーム部材に対応する押付け部材の回転中心線と中間軸の軸線との間の距離の和が、当該アーム部材に対応する２つの押付け部材の回転中心線の間の距離より、常時大きくなるように設けられてなること
を特徴とする連続紙の幅調整装置における押付け部材回転駆動装置。
【発明の詳細な説明】
【０００１】
【発明の属する技術分野】
この発明は、連続紙に複数の印刷部で重ね印刷する平版輪転印刷機において、少なくとも一の印刷部による印刷が施された後の連続紙の幅を調整する装置に関し、特に、連続紙面に対して遠近移動可能、かつ位置決め可能に適宜の数設けられた押付け部材を、１つの駆動手段により回転させながら連続紙面に押し付けて、連続紙に波打ちを発生させることにより連続紙の幅を調整する連続紙の幅調整装置における押付け部材回転駆動装置に関する。
【０００２】
【従来の技術】
湿し水を使う平版印刷では、印刷部を通過するときに画線が印刷されるとともに、非画線部を介して湿し水が付与されるが、この水を連続紙のパルプ繊維が吸収してその直径方向に膨らむことから、連続紙が幅方向に拡大する。
【０００３】
そのため、例えば図１０に示すような平版輪転印刷機ＴＰの重ね印刷では、先に印刷した印刷画線と後に印刷した印刷画線との間に、連続紙Ｗの前記幅方向の拡大によって不整合が生じた。
【０００４】
そこで本願出願人は、前記連続紙の幅方向の拡大に起因する、先に刷った印刷画線と後に刷った印刷画線の不整合を防止する連続紙の幅調整装置を特許第２９６８９０５号公報によって提案した。
【０００５】
この特許第２９６８９０５号公報には、印刷部間に回転可能な押付け部材を連続紙の両面に設け、押付け部材を１つの駆動源により回転させながら連続紙の面に遠近移動させ、押し付けて連続紙に波打ちを発生させることにより、連続紙の幅を調整する連続紙の幅調整装置が示されている。
【０００６】
この連続紙の幅調整装置は、連続紙との接触部を軸である回転軸と一体に一斉に回転するように、連続紙の両面に設けられた押付け部材と、押付け部材の回転軸の両端を軸受を介して回転可能に支持するとともに、回転軸の軸心と相違する中心線を中心に図示しない両側のフレームに角変位可能に支持され、かつ、それぞれフレームの外側に位置する歯車と一体で設けられた両側の偏心スリーブと、前記両側の偏心スリーブと一体に回転可能な歯車に駆動を伝える駆動伝達機構及び駆動源よりなり、駆動源より駆動を伝達し前記両側の歯車を角変位することにより両側の偏心スリーブを角変位し、両側の偏心スリーブの中心線から偏心した位置に回転可能に支持されている押付け部材を偏心スリーブの中心線周りに移動して、連続紙の面に対して遠近移動させる波打ち調整手段と、前記押付け部材の連続紙面との接触個所が印刷稼働で走行する連続紙の走行速度と異なる周面速度で変位するように回転させるための押付け部材回転駆動装置とを有している。
【０００７】
この連続紙の幅調整装置の中の押付け部材回転駆動装置は、１つの駆動源と、この駆動源に連結されて設けられた駆動プーリーと、それぞれの押付け部材の回転軸の一側部に設けられた従動プーリーと、前記駆動プーリー及び各従動プーリーに掛け渡されるベルトと、常時ベルトに張力を与えるベルト張りプーリーとで構成されている。
【０００８】
そしてこの構成によれば、押付け部材は、押付け部材回転駆動装置の作動により回転される。詳細には、１つ設けた駆動源により、駆動源と連結した駆動プーリーを駆動し、ベルトを介して両側の従動プーリーを回転させる。従動プーリーと一体で回転する押付け部材の回転軸及び連続紙面と接触される接触部は、連続紙と異なる周面速度で変位するように回転される。また、押付け部材は、軸心周りに回転されながら、波打ち調整手段により連続紙面に対して遠近移動される。詳細には、押付け部材の回転軸を回転可能に支持している両側の偏心スリーブに歯車を一体に設け、この歯車を、偏心スリーブ駆動源と偏心スリーブ駆動伝達機構とにより角変位させて両側の偏心スリーブを一斉に角変位させる。すると、偏心スリーブの中心線から偏心した位置に回転可能に支持されている押付け部材の回転軸が偏心スリーブの中心線周りに移動させられ、押付け部材は、連続紙に対して一斉に遠近移動させられる。
【０００９】
このように、押付け部材は、押付け部材回転駆動装置により回転されながら、波打ち調整手段により連続紙面に対し一斉に遠近移動され、連続紙を両面より押付け、連続紙の幅方向に波打ちを発生させて、連続紙の幅を調整し、印刷画線の不整合を防止する。
【００１０】
また、押付け部材の接触部が、連続紙と異なる周面速度で変位することで、前記接触部が連続紙に擦られて、紙粉やインキ等の汚れや堆積がなく、したがって汚れや堆積による印刷紙面の汚損が発生せず、印刷紙面の印刷品質が保たれる。
【００１１】
【発明が解決しようとする課題】
前記従来例においては、連続紙の幅調整装置における押付け部材回転駆動装置として、連続紙の両面に設けた押付け部材の軸であるそれぞれの回転軸を回転させるために、駆動源を１つ設け、押付け部材のそれぞれの回転軸をプーリー、ベルトにより一斉に同一の向きに回転させている。また、波打ち調整手段により、押付け部材が連続紙面に対して遠近移動され、ベルトの張りが変化することに対応するベルト張りプーリーを設けて、常にベルトの張りを略一定になるようにしている。
【００１２】
しかし、ベルトは消耗品であり、予備品を常備しなければいけないとともに、寿命で破損又は切断したり、連続紙が断紙して駆動部分に破断紙が噛み込んで破損又は切断した場合には、破損、切断したベルトが落下し、下側に位置する印刷部の印刷胴に破損又は切れたベルトが噛み込み損傷を与えることがあった。
【００１３】
また、駆動源のプーリーと押付け部材の回転軸のプーリーをベルトで連結し、かつベルト張りプーリーを付設しているので、押付け部材回転駆動装置は、広範囲の設置スペースが必要となり、また、連続紙の両面に設けた押付け部材には、前記ベルト張りにより張力をかけられたベルトにより常に張力がかかっているので、波打ち調整手段により、押付け部材が連続紙面に対して遠近移動を行う際に、波打ち調整手段の駆動源に負荷がかかり、また、押付け部材の遠近移動にスムース性を欠くことがあった。
【００１４】
この発明は、前記従来の技術がかかえていた課題を一挙に解決しようとするもので、連続紙の幅調整装置における押付け部材回転駆動装置において、強度、耐久性があり、破損事故がほとんどなく安全性が高く、また、設置スペースもコンパクトにすることができることを目的としている。更に、連続紙面に対して遠近移動する押付け部材の変位に対して、押付け部材回転駆動装置が駆動性能をまったく変えることなく無理なく追従し、かつ連続紙面に対する遠近移動時に負荷がかからず、スムースに行うことができることを目的としている。
【００１５】
【課題を解決するための手段】
そのためこの発明の連続紙の幅調整装置における押付け部材回転駆動装置は、連続紙面に対して遠近移動し、連続紙の幅方向に幾つか設けられた接触部が連続紙面に接触して連続紙に波打ちを発生させることが可能であるとともに、移動した位置で互いに連続紙面に平行な回転中心線周りに回転可能、かつその回転中心線を位置決め可能に設けた複数の押付け部材と、各押付け部材ごとに少なくとも１つ対応させ、その回転中心線を軸心とする軸と互いに角変位可能であるとともに、隣り合う押付け部材と対応するもの同士を、押付け部材の回転中心線と平行な軸線を有する中間軸によって、その中間軸と少なくとも一方が角変位可能に連結したアーム部材よりなる連結アーム機構と、中間軸と平行な出力軸を備え、連結アーム機構に設けられた駆動源と、駆動源の出力軸又は出力軸と一体で回転する軸に、この軸と一体で回転可能に設けられた駆動源歯車と、各押付け部材ごとに対応させ、その押付け部材と一体で回転可能に設けられた従動歯車と、前記中間軸の軸線周りに回転可能に設けられた歯車を含み、隣接する歯車と噛み合わせられて駆動源歯車の回転を従動歯車に伝動可能であるように連結アーム機構に設けられた少なくとも１つの中間歯車と、を有し、前記連結アーム機構は、押付け部材の移動にかかわらず、中間軸に連結された２つのアーム部材の各アーム部材に対応する押付け部材の回転中心線と中間軸の軸線との間の距離の和が、当該アーム部材に対応する２つの押付け部材の回転中心線の間の距離より、常時大きくなるように設けられてなることを特徴としている。
【００１６】
また、この発明の連続紙の幅調整装置における押付け部材回転駆動装置は、連続紙面に対して遠近移動し、連続紙の幅方向に幾つか設けられた接触部が連続紙面に接触して連続紙に波打ちを発生させることが可能であるとともに、移動した位置で互いに連続紙面に平行な回転中心線周りに回転可能、かつその回転中心線を位置決め可能に設けた複数の押付け部材と、各押付け部材ごとに少なくとも１つ対応させ、その回転中心線を軸心とする軸と互いに角変位可能であるとともに、隣り合う押付け部材と対応するもの同士を、押付け部材の回転中心線と平行な軸線を有する中間軸によって、その中間軸とそれぞれ互いに角変位可能に連結したアーム部材よりなる連結アーム機構と、中間軸と一体で回転可能な出力軸又は中間軸を兼ねる出力軸を備え、連結アーム機構に設けられた駆動源と、中間軸又は中間軸を兼ねる駆動源の出力軸に、この軸と一体で回転可能に設けられた駆動源歯車と、各押付け部材ごとに対応させ、その押付け部材と一体で回転可能に、かつ駆動源歯車と直接噛み合わせられた従動歯車と、を有し、前記連結アーム機構は、押付け部材の移動にかかわらず、中間軸に連結された２つのアーム部材の各アーム部材に対応する押付け部材の回転中心線と中間軸の軸線との間の距離の和が、当該アーム部材に対応する２つの押付け部材の回転中心線の間の距離より、常時大きくなるように設けられてなることを特徴としている。
【００１７】
組をなす押付け部材が連続紙と平行な回転軸線を中心に回転駆動する。また、この組をなす押付け部材が連続紙の面に接近移動し、押付け部材を構成する接触部が連続紙の面に押し付けられることにより、連続紙に波打ちが発生する。連続紙に発生するこの波打ちにより、連続紙の幅が調整される。
【００１８】
【発明の実施の形態】
次に、この発明の実施の形態を図面を参照して説明する。
【００１９】
図１はこの発明の実施の形態の押付け部材回転駆動装置を含む連続紙の幅調整装置の斜視図、図２は図１のＡ−Ａ矢視展開平面概略断面図、図３はこの発明の実施の形態の押付け部材回転駆動装置の概略正面図で図１のＢ−Ｂ矢視断面図、図４はこの発明の第２実施の形態の押付け部材回転駆動装置の概略正面図、図５はこの発明の第３実施の形態の押付け部材回転駆動装置の展開平面概略断面図、図６はこの発明の第３実施の形態の押付け部材回転駆動装置の概略正面図、図７はこの発明の第４実施の形態の押付け部材回転駆動装置の概略正面図、図８はこの発明の第５実施の形態の押付け部材回転駆動装置の展開平面概略断面図、図９はこの発明の第５実施の形態の押付け部材回転駆動装置の概略正面図、図１０は印刷部を積み重ねた印刷可能な平版輪転印刷機の概略正面図を示している。
【００２０】
この発明の押付け部材回転駆動装置４を含む連続紙の幅調整装置１００は、連続紙Ｗに複数の印刷部Ｐで重ね印刷する図１０に示されるような平版輪転印刷機ＴＰに使用され、一の印刷部Ｐによる印刷が施された後の各印刷部Ｐと印刷部Ｐとの間に設けられる。
【００２１】
図１及び図２には、前記連続紙の幅調整装置１００が示されており、押付け部材１、１’と、波打ち調整手段２と、この発明の押付け部材回転駆動装置４とで構成され、連続紙Ｗの両面に押付け部材１、１’を設け、押付け部材１、１’を押付け部材回転駆動装置４により軸心周りに回転させながら、波打ち調整手段２により押付け部材１、１’を連続紙Ｗの両面側より遠近移動させ、押付け部材１、１’を連続紙Ｗの面に押し付けて連続紙Ｗに波打ちを発生させることにより、連続紙Ｗの幅を調整する。以下に連続紙の幅調整装置１００及びこの発明の押付け部材回転駆動装置４ついて構成を説明する。
（１）  押付け部材１、１’
押付け部材１、１’は、連続紙Ｗの両面側に設けられる。一方面側の押付け部材１は、連続紙Ｗの走行する方向に対して直角でかつ連続紙Ｗの面に対して平行に、後で説明する波打ち調整手段２の軸２０の軸心を中心にして回転可能に設けられる円筒状の回転軸１２と、回転軸１２の軸方向に連続紙Ｗの紙幅範囲内に適宜間隔で、回転軸１２の外周面に取り付けられ、回転軸１２と一体で一斉に回転可能な、連続紙Ｗの一方の面に接触する接触部１３・・とを有し、また、連続紙Ｗの他方面側の押付け部材１’は、前記押付け部材１と同様に連続紙Ｗの走行する方向に対して直角でかつ連続紙Ｗの面に対して平行に、後で説明する波打ち調整手段２の軸２０’の軸心を中心にして回転可能に設けられる円筒状の回転軸１２’と、一方面側の押付け部材１における接触部１３・・に対して少なくとも連続紙Ｗの幅方向にずらして設け、回転軸１２’と一体に一斉に回転するように設けた連続紙Ｗの他方の面に接触する接触部１３’・・とを有している。
（２）  波打ち調整手段２
波打ち調整手段２は、連続紙Ｗの前記一方面側の押付け部材１の円筒状の回転軸１２を貫通し、軸受２１を介して回転軸１２を回転可能に支持する軸２０及び他方面側の押付け部材１’の円筒状の回転軸１２’を貫通し、軸受２１を介して、回転軸１２’を回転可能に支持する軸２０’と、これらの軸２０、２０’ごとにその両端に固定されて取り付けられるとともに、各軸２０又は２０’の両端に取り付けられたもの同士が、その軸２０又は２０’に支持された回転軸１２又は１２’の回転中心線と相違する共通の角変位中心線周りに角変位可能であるように、それぞれ軸受２４又は２５を介して、これらの軸２０、２０’を挟んで対向して設けられたフレームＦ、Ｆ’に設けられた穴に支持される、フレームＦ側の偏心スリーブ２２、２２’及びフレームＦ’側の偏心スリーブ２３、２３’と、フレームＦ側の偏心スリーブ２２、２２’のフレームＦの外側に延長した軸端２６、２６’にそれぞれ一体になるように取り付けられるウオームホイール２７、２７’と、ウオームホイール２７、２７’をそれぞれ相反する方向に同時に角変位するべく、ねじれが互いに逆向きで、かつ一体で回転可能に設けられたウオーム２８、２８’と、このウオーム２８、２８’を回転駆動する駆動源２９とで構成されている。
【００２２】
そして、駆動源２９の回転をウオーム２８、２８’によりウオームホイール２７、２７’に伝達し、相反する方向に角変位させることにより、ウオームホイール２７と一体の偏心スリーブ２２及びウオームホイール２７’と一体の偏心スリーブ２２’がそれぞれ角変位されて停止され、角変位されて停止された位置で位置決めされる。
【００２３】
偏心スリーブ２２は、軸２０を介して偏心スリーブ２３と連結され、偏心スリーブ２２、２３は、前記共通の角変位中心に一致する中心線を有するように対向するフレームＦ、Ｆ’に設けられた穴に、その穴の中心線周りに一斉に角変位可能に設けられる。また、偏心スリーブ２２’は、軸２０’を介して偏心スリーブ２３’と連結され、偏心スリーブ２２’、２３’は前記偏心スリーブ２２、２３と同様に、前記共通の角変位中心線に一致する中心線を有するように対向するフレームＦ、Ｆ’に設けられた穴に、その穴の中心線周りに一斉に角変位可能に設けられる。そして、偏心スリーブ２２、２３と偏心スリーブ２２’、２３’の、それぞれ軸２０又は軸２０’に取り付けられる位置の中心の設定位置は、連続紙Ｗを境界にして略対称に設定される。そして、偏心スリーブ２２がウオームホイール２７及びウオーム２８を介して、また、偏心スリーブ２２’がウオームホイール２７’及びウオーム２８’を介して駆動源２９によって角変位されることにより、軸２０並びに軸２０に回転可能に取り付けられている押付け部材１の回転軸１２及び接触部１３・・と、軸２０’並びに軸２０’に回転可能に取り付けられている押付け部材１’の回転軸１２’及び接触部１３’・・とは、それぞれ偏心スリーブ２２、２３及び２２’、２３’の中心線周りに移動される。
【００２４】
つまり、相対する押付け部材１、１’は、連続紙Ｗの面に対して両側より略対称で均等に遠近移動する。
【００２５】
また、偏心スリーブ２２、２３と偏心スリーブ２２’、２３’の、それぞれ軸２０又は軸２０’に取り付けられる位置の中心の設定位置を、偏心スリーブ２２、２２’の２つの角変位中心線を含む面と連続紙Ｗとの交線に対して略対称に設定し、ウオームホイール２７、２７’を同じ方向に同時に角変位させてもよい。ただ、この場合には相対する押付け部材１、１’は、連続紙Ｗの面に対して略対称に遠近移動はしないで連続紙Ｗの走行方向にずれながら遠近移動される。
【００２６】
また、ウオームホイール２７、２７’と噛み合うウオームをそれぞれ別個に設け、その各個に駆動源を設けた機構（図示せず）とし、波打ち調整手段２のウオームホイール２７とウオームホイール２７’を別個に角変位させるように駆動してもよい。この場合、相対する押付け部材１、１’は、連続紙Ｗの面に対し両側より別個に遠近移動される。
（３）  押付け部材回転駆動装置４
この発明の押付け部材回転駆動装置４は、図１、図２及び図３に示されるように前記連続紙Ｗの一方面側に設けられた押付け部材１の回転軸１２及びそれと一体に取り付けられている接触部１３・・と、連続紙Ｗの他方面側に設けられた押付け部材１’の回転軸１２’及びそれと一体に取り付けられている接触部１３’・・とを、それぞれ相反する方向に回転させる装置である。
【００２７】
詳細には、この発明の実施の形態の押付け部材回転駆動装置４は、前記連続紙Ｗの両面側に対応して設けられ、連続紙Ｗの面に対して遠近移動可能であるとともに、移動した位置で互いに連続紙Ｗの面に平行な回転中心線周りに回転可能、かつ前記偏心スリーブ２２、２２’が角変位された位置で位置決めされることによって、その回転中心線を位置決め可能に設けられた前記押付け部材１、１’と、押付け部材１の回転軸１２を回転可能に支持する前記波打ち調整手段２の軸２０の外周上の、回転軸１２の一方端の近傍位置に、軸受４８を介して、前記回転軸１２の回転中心線周りに角変位可能に設けられた連結アーム４５と、前記押付け部材１’の回転軸１２’を回転可能に支持する前記波打ち調整手段２の軸２０’の外周上の、回転軸１２’の一方端の近傍位置に、軸受４８を介して、前記回転軸１２’の回転中心線周りに角変位可能に設けられた連結アーム４６と、連結アーム４５と連結アーム４６の自由端同士を重ね合わせて連結するとともに、前記押付け部材１、１’の回転軸１２、１２’の回転中心線と平行な軸線になるように設けられた中間軸５３とを有している。前記中間軸５３は、一方の連結アーム４６の連結穴５４に固定して取り付けられ、他方の連結アーム４５の連結穴４９に軸受５１を介して角変位可能に取り付けられて、連結アーム４５と連結アーム４６とで中間軸５３及び各軸２０、２０’を連結した連結アーム機構４１を形成している。また、前記押付け部材１の回転軸１２と一体に回転可能なように、回転軸１２の、前記連結アーム４５の近傍端部に従動歯車４２が取り付けられ、前記押付け部材１’の回転軸１２’と一体に回転可能なように、回転軸１２’の、前記連結アーム４６の近傍端部に従動歯車４２’が取り付けられ、前記中間軸５３には、軸受５２を介して回転可能に、かつ一方の押付け部材１の回転軸１２に設けられた前記従動歯車４２と噛み合うように中間歯車４３が設けられ、更に中間歯車４３及び他方の押付け部材１’の回転軸１２’に設けられた従動歯車４２’の双方に噛み合い、押付け部材１、１’を相反する回転方向に駆動する駆動歯車４４が、前記連結アーム４６に取り付けられる駆動源４７に連結され、回転軸１２に設けられている接触部１３・・と、回転軸１２’に設けられている接触部１３’・・とがそれぞれ連続紙Ｗと異なる周面速度で回転するように、及び連続紙Ｗの走行方向と同じ方向又は逆の方向に回転するように駆動される構成になっている。
【００２８】
前記連結アーム機構４１は、押付け部材１、１’の回転中心と中間軸５３の軸心との距離の和が、押付け部材１、１’の回転中心間の距離より常時大きくなるように、２つの連結アーム４５、４６が中間軸５３によって連結されて設けられており、押付け部材１、１’の波打ち調整手段２による移動にかかわらず、中間軸５３の軸心は、移動によって死点に至ることがなく、その移動は保障されている。
【００２９】
また、図４にこの発明の第２実施の形態に係る押付け部材回転駆動装置４が示される。この第２実施の形態は、連続紙の幅調整装置１００及び押付け部材回転駆動装置４の構成を同じくして、押付け部材１、１’の設置位置を連続紙Ｗの走行方向にずらして設けたときの実施の形態である。
【００３０】
この場合の連続紙の幅調整装置１００は、連続紙Ｗの走行方向にずれた位置において押付け部材回転駆動装置４により、押付け部材１、１’は連続紙Ｗの変位方向と同じ方向又は逆の方向に回転され、波打ち調整手段２により、連続紙Ｗの両面の走行方向にずれた位置において、前記押付け部材回転駆動装置４により回転する押付け部材１、１’の接触部１３・・、１３’・・を連続紙Ｗの面に対して遠近移動させて、押し付けることにより連続紙Ｗの幅方向に波打ちを発生させる。
【００３１】
次に、以上説明した連続紙の幅調整装置１００及び押付け部材回転駆動装置４の作用について、図１、図２、図３及び図４を参照して説明する。
【００３２】
輪転印刷機が稼働すると、連続紙Ｗは、各印刷部Ｐで印刷されながら走行する。
【００３３】
一の印刷部Ｐによる印刷が施された後の連続紙の走行経路に、順次、次の印刷部Ｐとの間に設けられた連続紙の幅調整装置１００は、押付け部材１、１’が、押付け部材回転駆動装置４により連続紙Ｗと平行な回転軸線を中心に回転駆動される。また、波打ち調整手段２により押付け部材１、１’を連続紙Ｗの両面側より遠近移動させ、押付け部材１、１’を連続紙Ｗの面にそれぞれ押し付けて連続紙Ｗに波打ちを発生させることにより、連続紙Ｗの幅を調整する。
【００３４】
詳細には、この発明の押付け部材回転駆動装置４は、駆動源４７により、駆動源４７と連結された駆動歯車４４を駆動し、その駆動歯車４４と噛み合っている中間歯車４３を介して従動歯車４２へ駆動が伝達されるとともに、駆動歯車４４と噛み合っている従動歯車４２’へと駆動が伝達され、従動歯車４２と一体で回転する回転軸１２及び接触部１３・・と、従動歯車４２’と一体で回転する回転軸１２’及び接触部１３’・・とをそれぞれ相反する方向に、その周速度が連続紙Ｗの走行速度と相違する速度となるよう回転させる。
【００３５】
従って、連続紙Ｗの両面に対応するように設けられた押付け部材１、１’の連続紙Ｗとの接触部１３・・、１３’・・は、共に連続紙Ｗの走行方向と同じ方向又は逆の方向に一斉に変位するように回転される。
【００３６】
前記稼動において、印刷画像のずれを修正するべく連続紙Ｗの幅調整が必要なときには、波打ち調整手段２を動作させて連続紙Ｗの波打ち状態を変更する。
【００３７】
波打ち調整手段２は、駆動源２９が起動されることにより、ウオーム２８、２８’を介し、ウオームホイール２７、２７’が相反する方向に角変位される。ウオームホイール２７、２７’が角変位すると、ウオームホイール２７に連結している偏心スリーブ２２、軸２０及び偏心スリーブ２３が偏心スリーブ２２、２３の共通の角変位中心線を中心にして一斉に角変位され、また、ウオームホイール２７’に連結している偏心スリーブ２２’、軸２０’及び偏心スリーブ２３’が偏心スリーブ２２’、２３’の共通の角変位中心線を中心にして一斉に角変位される。軸２０は、その軸心が、偏心スリーブ２２、２３の共通の角変位中心線から偏心した位置に位置するように固定されており、軸２０’は、その軸心が偏心スリーブ２２’、２３’の共通の角変位中心線から偏心した位置に位置するように固定されており、かつ、偏心スリーブ２２、２３の前記偏心した位置と偏心スリーブ２２’、２３’の前記偏心した位置とは、連続紙Ｗを境界にして略対称に設定されているので、軸２０に回転可能に設けられている押付け部材１の回転軸１２及び接触部１３・・と、軸２０’に回転可能に設けられている押付け部材１’の回転軸１２’及び接触部１３’・・とは、偏心スリーブ２２、２３の共通の角変位中心線及び偏心スリーブ２２’、２３’の共通の角変位中心線周りに略同じ量だけ一斉に移動させられる。
【００３８】
つまり、連続紙Ｗの面に対して略対称の相対する適宜位置に設けられた押付け部材１、１’は、波打ち調整手段２により連続紙Ｗに対して両面側より略対称で均等に遠近移動させられ、連続紙Ｗにその両面より押し付けられる。更に、遠近移動されながら、押付け部材回転駆動装置４により連続紙Ｗの走行方向と同じ方向又は逆の方向に押付け部材１の接触部１３・・と、押付け部材１’の接触部１３’・・とが回転させられる。
【００３９】
これにより、連続紙Ｗの幅方向に波打ちが発生することにより連続紙Ｗの幅調整が行われ、次の印刷部Ｐへ送られ重ね刷りされる。
【００４０】
また、この発明の第３実施の形態に係る押付け部材回転駆動装置４’は、図５、図６に示されるように隣接する押付け部材１、１’を互いに同じ回転方向に回転させる装置である。
【００４１】
図５、図６において、この押付け部材回転駆動装置４’の部分が図２、図３に示される押付け部材回転駆動装置４と異なっており、他の部分の押付け部材１、１’及び波打ち調整手段２は、前記図２、図３で示される実施の形態で説明したものと同じ機構であるので、その説明は省略する。
【００４２】
図５及び図６に示される押付け部材回転駆動装置４’は、連続紙Ｗの両面側に対応して設けられ、連続紙Ｗの面に対して遠近移動可能であるとともに、移動した位置で互いに連続紙Ｗの面に平行な回転中心線周りに回転可能、かつ前記偏心スリーブ２２、２２’が角変位された位置で位置決めされることによって、その回転中心線を位置決め可能に設けられた前記押付け部材１、１’と、押付け部材１の回転軸１２を回転可能に支持する波打ち調整手段２の軸２０の外周上の、回転軸１２の一方端の近傍位置に、軸受４８を介して、前記回転軸１２の回転中心線周りに角変位可能に設けられた連結アーム５５と、前記押付け部材１’の回転軸１２’を回転可能に支持する波打ち調整手段２の軸２０’の外周上の、回転軸１２’の一方端の近傍位置に、軸受４８を介して、前記回転軸１２’の回転中心線周りに角変位可能に設けられた連結アーム５６と、連結アーム５５と連結アーム５６の自由端同士を重ね合わせて連結するとともに、前記押付け部材１、１’の回転軸１２、１２’の回転中心線と平行な軸線になるように設けられた中間軸５３’とを有している。前記中間軸５３’は、一方の連結アーム５５の連結穴５７及び他方の連結アーム５６の連結穴５８に軸受５９、６０を介してそれぞれ角変位可能に取り付けられて、連結アーム５５と連結アーム５６とで中間軸５３’及び各軸２０、２０’を連結した連結アーム機構６１を形成している。また、前記押付け部材１の回転軸１２と一体に回転可能なように、回転軸１２の、前記連結アーム５５の近傍端部に従動歯車４２が取り付けられ、前記押付け部材１’の回転軸１２’と一体に回転可能なように、回転軸１２’の、前記連結アーム５６の近傍端部に従動歯車４２’が取り付けられ、前記中間軸５３’の軸端には駆動歯車６２が取り付けられている。駆動歯車６２は、押付け部材１、１’の回転軸１２、１２’に設けられた前記従動歯車４２、４２’の双方に噛み合うとともに、中間軸５３’を介して駆動源４７’に連結され、回転軸１２、１２’を介して接触部１３・・、１３’・・を、すなわち押付け部材１、１’を互いに同じ方向に一斉に、かつ連続紙Ｗと異なる周面速度で回転するように駆動する構成になっている。駆動源４７’はブラケットを介して連結アーム５５に取り付けられている。
【００４３】
前記連結アーム機構６１は、押付け部材１、１’の回転中心と中間軸５３’の軸心との距離の和が、押付け部材１、１’の回転中心間の距離より常時大きくなるように、２つの連結アーム５５、５６が中間軸５３’によって連結されて設けられており、押付け部材１、１’の波打ち調整手段２による移動にかかわらず、中間軸５３’の軸心は移動によって死点に至ることがなく、その移動は保障されている。
【００４４】
次に、押付け部材回転駆動装置４’の作用について図５及び図６を参照して説明する。
【００４５】
駆動源４７’により、駆動源４７’と連結された駆動歯車６２を駆動し、この駆動歯車６２と噛み合っている従動歯車４２、４２’へ駆動を伝達し、従動歯車４２と一体で回転する回転軸１２及び接触部１３・・と、従動歯車４２’と一体で回転する回転軸１２’及び接触部１３’・・とをそれぞれ同じ回転方向に、その周速度が連続紙Ｗの走行速度と相違する速度となるよう回転させる。
【００４６】
つまり、連続紙Ｗの両面に対して略対称の位置に設けられた押付け部材１、１’は、波打ち調整手段２により連続紙Ｗに対して両面より略対称で均等に遠近変位される。遠近変位されながら、押付け部材回転駆動装置４’により押付け部材１、１’の接触部１３・・、１３’・・の一方を連続紙Ｗの走行方向と同じ方向に回転させるとともに、他方を連続紙Ｗの走行方向と異なる方向に回転させ、連続紙Ｗの両面側より押し付けることにより連続紙Ｗの幅方向に波打ちを発生させる。
【００４７】
また、図７にこの発明の第４実施の形態に係る押付け部材回転駆動装置４’が示される。
【００４８】
この第４実施の形態は連続紙の幅調整装置１００及び押付け部材回転駆動装置４’は前記第３実施の形態の構成と構成を同じくして、押付け部材１、１’の設置位置を連続紙Ｗの片側の面に、走行方向にずらして設けた実施の形態である。
【００４９】
この場合の連続紙の幅調整装置１００は、連続紙Ｗの走行方向にずれた位置において押付け部材回転駆動装置４’により、押付け部材１、１’はともに連続紙Ｗの走行方向と同じ方向又は逆の方向に回転され、波打ち調整手段２により、連続紙Ｗの片面の走行方向にずれた位置において、前記押付け部材回転駆動装置４’により回転する押付け部材１、１’の接触部１３・・、１３’・・を連続紙Ｗの面に対して遠近移動させ、押し付けることにより連続紙Ｗの幅方向に波打ちを発生させる。
【００５０】
このように、連続紙Ｗの幅方向に波打ちが発生されることにより、連続紙Ｗの幅調整が行われ、次の印刷部Ｐへ送られ重ね刷りされる。
【００５１】
図８、図９に示されるこの発明の第５実施の形態に係る押付け部材回転駆動装置４’’は、連続紙Ｗの両面側に設けられた押付け部材１、１’をそれぞれ２組ずつ連続紙Ｗの走行方向にずらして設け、連続紙Ｗの両面側の各押付け部材１、１’を相反する方向に回転させる装置である。
【００５２】
この第５実施の形態では、押付け部材回転駆動装置４’’の部分が、図２、図３に示される押付け部材回転駆動装置４と異なっており、他の部分の押付け部材１、１’及び波打ち調整手段２は、前記図２、図３で示される実施の形態で説明したものと同じ機構をそれぞれ２組ずつ有するものであるので、押付け部材１、１’及び波打ち調整手段２については、その説明を省略する。
【００５３】
図８及び図９に示される押付け部材回転駆動装置４’’は、連続紙Ｗの両面側に対応して設けられ、連続紙Ｗの面に対して遠近移動可能であるとともに、移動した位置で互いに連続紙Ｗの面に平行な回転中心線周りに回転可能、かつ前記偏心スリーブ２２、２２’が角変位された位置で位置決めされることによって、その回転中心線を位置決め可能に２組の押付け部材１、１’及び押付け部材１、１’が、連続紙Ｗの走行方向にずらして設けられる。前記２組の押付け部材１、１’及び押付け部材１、１’の中で駆動源が設けられる１組、例えば図９の連続紙Ｗの走行方向の上流側の１組である押付け部材１と押付け部材１’との間の駆動伝達のための機構は、押付け部材１の回転軸１２を回転可能に支持する前記波打ち調整手段２の軸２０の外周上の、回転軸１２の一方端の近傍位置に、軸受４８を介して、前記回転軸１２の回転中心線周りに角変位可能に設けられた連結アーム４５と、前記押付け部材１’の回転軸１２’を回転可能に支持する波打ち調整手段２の軸２０’の外周上の、回転軸１２’の一方端の近傍位置に、軸受４８を介して、前記回転軸１２’の回転中心線周りに角変位可能に設けられた連結アーム４６と、連結アーム４５と連結アーム４６との自由端同士を重ね合わせて連結するとともに、前記押付け部材１、１’の回転軸１２、１２’の回転中心線と平行な軸線になるように設けられた中間軸５３とを有しており、更に前記中間軸５３は、一方の連結アーム４６の連結穴５４に固定して取り付けられ、他方の連結アーム４５の連結穴４９に軸受５１を介して角変位可能に取り付けられて、中間軸５３及び各軸２０、２０’を連結した連結アーム機構４１を形成されている。そして、前記押付け部材１の回転軸１２と一体に回転可能なように、回転軸１２の、前記連結アーム４５の近傍端部に従動歯車４２が取り付けられ、前記押付け部材１’の回転軸１２’と一体に回転可能なように、回転軸１２’の、前記連結アーム４６の近傍端部に従動歯車４２’が取り付けられ、前記中間軸５３には、軸受５２を介して回転可能に、かつ一方の押付け部材１の回転軸１２に設けられた前記従動歯車４２と噛み合うように中間歯車４３が設けられ、更に中間歯車４３及び他方の押付け部材１’の回転軸１２’に設けられた従動歯車４２’の双方に噛み合い、押付け部材１、１’を相反する回転方向に駆動する駆動歯車４４が、前記連結アーム４６に取り付けられた駆動源４７に連結され、回転軸１２に設けられている接触部１３・・と、回転軸１２’に設けられている接触部１３’・・とがそれぞれ連続紙Ｗと異なる周面速度で回転するように、及び連続紙Ｗの走行方向と同じ方向又は逆の方向に回転するように駆動される構成になっている。
【００５４】
また、連続紙Ｗの一方の面に連続紙Ｗの走行方向にずらして設けられる前記押付け部材１と他の押付け部材１との間の駆動伝達のための機構は、押付け部材１、１の回転軸１２、１２を回転可能に支持する波打ち調整手段２の軸２０、２０の外周上の回転軸１２、１２の一方端の近傍位置に、軸受４８、４８を介して、前記回転軸１２、１２の回転中心線周りに角変位可能に設けられた連結アーム６３及び連結アーム６３’と、連結アーム６３と連結アーム６３’との自由端同士を重ね合わせて連結するとともに、前記連続紙Ｗの走行方向にずれて設けられた押付け部材１、１の回転軸１２、１２の回転中心線と平行な軸線になるように設けられた中間軸６５とを有しており、更に前記中間軸６５は、一方の連結アーム６３の連結穴６８に固定して取り付けられ、他方の連結アーム６３’の連結穴６９に軸受７０を介して角変位可能に取り付けられて、中間軸６５及び各軸２０、２０を連結した連結アーム機構７１を形成されている。そして前記押付け部材１、１の回転軸１２、１２と一体に回転可能なように、回転軸１２、１２の、前記連結アーム６３、６３’の近傍端部には前記説明した従動歯車４２と従動歯車６６とが取り付けられ、前記中間軸６５には、軸受５２を介して回転可能に、かつ押付け部材１、１の回転軸１２、１２に設けられた前記従動歯車４２、６６の双方に噛み合う中間歯車６７が設けられている。中間歯車６７は、前記従動歯車４２から伝達される回転を従動歯車６６に伝達する。したがって、中間歯車６７を介した従動歯車４２、６６の伝動機構は、回転軸１２、１２を介して接触部１３・・、１３・・を、すなわち押付け部材１、１を互いに同じ方向に一斉に、かつ連続紙Ｗと異なる周面速度で回転するように駆動を伝達する構成になっている。
【００５５】
また、連続紙Ｗの他方の面に連続紙Ｗの走行方向にずらして設けられる前記押付け部材１’と他の押付け部材１’との間の駆動伝達のための機構は、押付け部材１’、１’の回転軸１２’、１２’を回転可能に支持する波打ち調整手段２の軸２０’、２０’の外周上の、回転軸１２’、１２’の一方端の近傍位置に、軸受４８、４８を介して、前記回転軸１２’、１２’の回転線中心周りに角変位可能に設けられた連結アーム６４及び連結アーム６４’と、連結アーム６４と連結アーム６４’との自由端同士を重ね合わせて連結するとともに、前記連続紙Ｗの走行方向にずれて設けられた押付け部材１’、１’の回転軸１２’、１２’の回転中心線と平行な軸線になるように設けられた中間軸６５’とを有しており、更に前記中間軸６５’は、一方の連結アーム６４の連結穴６８’に固定して取り付けられ、他方の連結アーム６４’の連結穴６９’に軸受７０を介して角変位可能に取り付けられて、中間軸６５’及び各軸２０’、２０’を連結した連結アーム機構７１’を形成されている。そして前記押付け部材１’、１’の回転軸１２’、１２’と一体に回転可能なように、回転軸１２’、１２’の、前記連結アーム６４、６４’の近傍端部には前記説明した従動歯車４２’と従動歯車６６’とが取り付けられ、前記中間軸６５’には、軸受５２を介して回転可能に、かつ押付け部材１’、１’の回転軸１２’、１２’に設けられた前記従動歯車４２’、６６’の双方に噛み合う中間歯車６７’が設けられている。中間歯車６７’は、前記従動歯車４２’から伝達される回転を従動歯車６６’に伝達する。したがって、中間歯車６７’を介した従動歯車４２’、６６’の伝動機構は、回転軸１２’、１２’を介して接触部１３’・・、１３’・・を、すなわち押付け部材１’、１’を互いに同じ方向に一斉に、かつ連続紙Ｗと異なる周面速度で回転するように駆動を伝達する構成になっている。
【００５６】
前記連結アーム機構４１は、押付け部材１、１’の回転中心と中間軸５３の軸心との距離の和が、押付け部材１、１’の回転中心間の距離より常時大きくなるように、２つの連結アーム４５、４６が中間軸５３によって連結されて設けられている。また、連結アーム機構７１は、押付け部材１、１の回転中心と中間軸６５の軸心との距離の和が、押付け部材１、１の回転中心間の距離より常時大きくなるように、２つの連結アーム６３、６３’が中間軸６５によって連結されて設けられている。また、連結アーム機構７１’は、押付け部材１’、１’の回転中心と中間軸６５’の軸心との距離の和が、押付け部材１’、１’の回転中心間の距離より常時大きくなるように、２つの連結アーム６４、６４’が中間軸６５’によって連結されて設けられている。したがって、押付け部材１、１’及び他の押付け部材１、１’の波打ち調整手段２による移動にかかわらず、中間軸５３、６５、６５’の軸心はそれぞれの移動によって死点に至ることがなく、その移動は保障されている。
【００５７】
次に、押付け部材回転駆動装置４’’の作用について図８、図９を参照して説明する。
【００５８】
駆動源４７により、駆動源４７と連結された駆動歯車４４を駆動し、この駆動歯車４４と噛み合っている中間歯車４３を介して従動歯車４２へ駆動が伝達されるとともに、駆動歯車４４と噛み合っている従動歯車４２’へと駆動が伝達され、更に従動歯車４２、４２’から中間歯車６７、６７’を介して従動歯車６６、６６’に伝達される。そして従動歯車４２、４２’、６６、６６’のそれぞれと一体で回転する各回転軸１２、１２’及びそれぞれ設けられている接触部１３・・、１３’・・とを、その周速度が連続紙Ｗの走行速度と相違する速度となるよう回転させる。
【００５９】
つまり、連続紙Ｗの走行方向にずらして、連続紙Ｗの両面に対応して設けられた押付け部材１、１’及び他の押付け部材１、１’は、各波打ち調整手段２により連続紙Ｗに対して両面より略対称に遠近移動される。遠近移動されながら、押付け部材回転駆動装置４’’により連続紙Ｗの走行方向と同じ方向又は逆の方向に押付け部材１、１’及び他の押付け部材１、１’の接触部１３・・、１３’・・を回転させ、連続紙Ｗの両面より、走行方向のずれた位置で押し付ける。
【００６０】
これにより、連続紙Ｗの幅方向に波打ちが発生することにより連続紙Ｗの幅調整が行われ、次の印刷部Ｐへ送られ重ね刷りされる。
【００６１】
【発明の効果】
以上記載の通りであるので、連続紙の幅調整装置における押付け部材回転駆動装置において、伝達機構を歯車機構にしたので強度、耐久性を向上することができ、その破損のおそれが著しく軽減した。また、押付け部材回転駆動装置を構成する伝動機構及び駆動源を略押付け部材の設置エリア内に配置できたので、その設置スペースもコンパクトにすることができた。
【００６２】
また、押付け部材の連続紙面に対する遠近移動にかかわらず、伝動機構の互いに噛み合う歯車の中心間距離を一定に維持できるので、押付け部材の連続紙面に対する移動にかかわらず、伝動機構が、その歯車の噛み合いを外すことなく追従移動可能となり、押付け部材回転駆動装置の１つの駆動源による駆動の確実な伝達が可能となった。更に、伝達機構の従動歯車に余分な負荷がかかるのを一掃でき、波打ち調整手段による押付け部材の連続紙面に対する遠近移動をスムースに行うことができる。
【図面の簡単な説明】
【図１】この発明の実施の形態の押付け部材回転駆動装置を含む連続紙の幅調整装置の斜視図である。
【図２】図１のＡ−Ａ矢視展開平面概略断面図である。
【図３】この発明の実施の形態の押付け部材回転駆動装置の概略正面図で図１のＢ−Ｂ矢視断面図である。
【図４】この発明の第２実施の形態の押付け部材回転駆動装置の概略正面図である。
【図５】この発明の第３実施の形態の押付け部材回転駆動装置の展開平面概略断面図である。
【図６】この発明の第３実施の形態の押付け部材回転駆動装置の概略正面図である。
【図７】この発明の第４実施の形態の押付け部材回転駆動装置の概略正面図である。
【図８】この発明の第５実施の形態の押付け部材回転駆動装置の展開平面概略断面図である。
【図９】この発明の第５実施の形態の押付け部材回転駆動装置の概略正面図である。
【図１０】印刷部を積み重ねた印刷可能な平版輪転印刷機の概略正面図である。
【符号の説明】
１，１’  押付け部材
２    波打ち調整手段
４，４’，４’’    押付け部材回転駆動装置
１２，１２’  回転軸
１３，１３’  接触部
２０，２０’  軸
２１，２４，２５，４８，５１，５２，５９，６０，７０  軸受
２２，２２’，２３，２３’  偏心スリーブ
２６，２６’  軸端
２７，２７’  ウオームホイール
２８，２８’  ウオーム
２９，４７，４７’    駆動源
４１，６１，７１，７１’  連結アーム機構
４２，４２’，６６，６６’  従動歯車
４３，６７，６７’  中間歯車
４４，６２  駆動歯車
４５，４６，５５，５６，６３，６３’，６４，６４’    連結アーム
４９，５４，５７，５８，６８，６８’，６９，６９’  連結穴
５３，５３’，６５，６５’  中間軸
１００  連続紙の幅調整装置
Ｗ  連続紙
ＴＰ  平版輪転印刷機
Ｐ  印刷部
【図１】
0003566952.tif 000002
【図２】
0003566952.tif 000003
【図３】
0003566952.tif 000004
【図４】
0003566952.tif 000005
【図５】
0003566952.tif 000006
【図６】
0003566952.tif 000007
【図７】
0003566952.tif 000008
【図８】
0003566952.tif 000009
【図９】
0003566952.tif 000010
【図１０】
0003566952.tif 000011